(57)【要約】【課題】インターネットを利用したＶＯＤサービスの場合、コンテンツプロバイダが作成したホームページ上でコンテンツの視聴選択を行なうことが望まれており、途中視聴位置の有無によってホームページに表示する再生メニューを切替える必要がある。【解決手段】ＶＯＤ端末に途中再生位置情報を保持するシステムの場合、ＶＯＤ端末に視聴しようとするコンテンツの途中再生位置が保存されているかどうか調べて、サーバから取得するＵＲＬを変更する。【選択図】図５
2008124601.tif 000002
【特許請求の範囲】
【請求項１】
ネットワークを利用して映像配信サーバ装置から映像配信クライアント装置に映像コンテンツを配信する映像配信システムにおける映像配信クライアント装置であって、
映像コンテンツを識別するためのコンテンツ識別子と前記映像コンテンツを視聴した時の視聴中断位置を記憶する中断位置記憶部と、
前記映像配信サーバから受信したデータから前記コンテンツ識別子を取得し、前記中断位置記憶部に当該コンテンツ識別子に対応する視聴中断位置があるか否かに応じて当該映像配信クライアント装置の外部または内部に備える表示装置に表示する内容を変更する表示制御部と、
を備えることを特徴とする映像配信クライアント装置。
【請求項２】
前記表示制御部は、ＵＲＬ（Ｕｎｉｆｏｒｍ  Ｒｅｓｏｒｃｅ  Ｌｏｃａｔｏｒ）で特定されるネットワーク上のコンテンツを取得しようとする時に、前記ＵＲＬ中に記述された前記コンテンツ識別子を取得することを特徴とする請求項１記載の映像配信クライアント装置。
【請求項３】
前記表示制御部は、ＵＲＬで特定されるネットワーク上の特定のテキストファイルを取得し、前記テキストファイル中に記述されている前記コンテンツ識別子を取得することを特徴とする請求項１記載の映像配信クライアント装置。
【請求項４】
前記表示制御部は、前記中断位置記憶部に前記コンテンツ識別子に対応する視聴中断位置があるか否かに応じて、前記表示装置に出力するコンテンツのＵＲＬを変更することを特徴とする請求項１〜請求項３のいずれかに記載の映像配信クライアント装置。
【請求項５】
前記表示制御部は、前記中断位置記憶部に前記コンテンツ識別子に対応する視聴中断位置があるか否かに応じて前記表示装置に出力するコンテンツのＵＲＬの変更するときに、前記テキストファイルに記述されている２つの異なるＵＲＬを切替える事で行なうことを特徴とする請求項３記載の映像配信クライアント装置。
【請求項６】
ネットワークを利用して映像配信サーバ装置から映像配信クライアント装置に映像コンテンツを配信する映像配信システムであって、
前記映像クライアント装置は、
当該映像配信クライアント装置の識別子とコンテンツ識別子を前記映像配信サーバ装置に送信するインタフェース部を備え、
前記映像配信サーバは、
前記映像配信クライアント装置の識別子と映像コンテンツを識別するためのコンテンツ識別子と前記コンテンツを前回視聴した時の視聴中断位置を記憶した中断位置記憶部と、
前記映像配信クライアント装置から前記映像配信クライアント装置の識別子とコンテンツ識別子を受信した際に、前記中断位置記憶部に受信した映像配信クライアント装置の識別子とコンテンツ識別子に対応する視聴中断位置があるか否かに応じて、前記映像配信クライアント装置へ配信する表示データを変更する表示変更部とを備えた、
ことを特徴とする映像配信システム。
【発明の詳細な説明】
【技術分野】
【０００１】
本発明は、インターネットを利用したＶＯＤ（Ｖｉｄｅｏ  Ｏｎ  Ｄｅｍａｎｄ）システム等の映像配信システムにおいて、一度視聴を中断した音声や映像コンテンツの続きの再生を行なう映像配信クライアント装置および映像再生方法に関するものである。
【背景技術】
【０００２】
ＤＶＤプレーヤなどの映像コンテンツ再生装置において、映像コンテンツの視聴中断時に中断位置を記憶部に格納しておくことで、同一コンテンツを再度視聴する際に、前回の中断位置からの再生を可能にする技術が、例えば特許文献１や特許文献２で開示されている。
【０００３】
また、ネットワークを利用した映像配信システムにおいて、映像配信サーバ側で映像配信クライアント装置ごとの視聴再生の中断位置を記憶することで、映像配信クライアント装置に応じた適切な中断位置からの再生を可能にする技術が、例えば特許文献３に開示されている。
【０００４】
上記従来技術では、同一コンテンツを再度視聴する時に、前回の中断位置からの再生を行なうのか、それとも最初から再生するのかを選択できるようになっているのが一般的である。
【０００５】
また、ＤＶＤプレーヤなどの映像コンテンツ再生装置ではＧＵＩ（Ｇｒａｐｈｉｃａｌ  Ｕｓｅｒ  Ｉｎｔｅｒｆａｃｅ）を生成する機能を内蔵している事がほとんどであるため、前回のコンテンツの再生中断位置を保持しているか否かによって、ＧＵＩの表示メニューを変更することが可能である。ネットワークを利用した映像配信システムの映像配信クライアント装置においても、映像配信クライアント装置がＧＵＩを生成する機能を内蔵していれば、映像配信サーバ側が当該映像配信クライアントに対するコンテンツの前回の再生中断位置の有無を取得し、ＧＵＩの表示メニューを変更することが可能である。
【特許文献１】特開昭６０−２８０８１号公報
【特許文献２】特開２００３−２０３４６４号公報
【特許文献３】特開２００６−１８５４６８号公報
【発明の開示】
【発明が解決しようとする課題】
【０００６】
しかしながら、インターネットを利用したＶＯＤシステムの場合、Ｗｅｂブラウザを使用してＧＵＩ表示することが考えられるが、Ｗｅｂブラウザは、サーバ上の表示コンテンツを取得して表示する機能しか持っていない。そのため、ＤＶＤプレーヤの場合とは異なり、映像配信クライアント装置が映像コンテンツの途中再生位置を保存しているか否かによって、表示内容を変えることができない、という制限が生じる。
【０００７】
本発明は、上記課題を解決するもので、インターネットを利用したＶＯＤシステムでＷｅｂブラウザを使用してＧＵＩ表示する際に、再生中断位置の有無により、映像配信クライアント装置のＷｅｂブラウザの表示を変更することにより、映像コンテンツの視聴中断位置からの再生を可能にすることを目的とする。
【課題を解決するための手段】
【０００８】
前記従来の課題を解決するために、本願第１の発明にかかる映像配信クライアント装置は、ネットワークを利用して映像配信サーバ装置から映像配信クライアント装置に映像コンテンツを配信する映像配信システムにおける映像配信クライアント装置であって、
映像コンテンツを識別するためのコンテンツ識別子と前記映像コンテンツを視聴した時の視聴中断位置を記憶する中断位置記憶部と、
前記映像配信サーバから受信したデータから前記コンテンツ識別子を取得し、前記中断位置記憶部に当該コンテンツ識別子に対応する視聴中断位置があるか否かに応じて当該映像配信クライアント装置の外部または内部に備える表示装置に表示する内容を変更する表示制御部と、を備えることを特徴とする。これにより、視聴中断位置の有無により、表示装置への表示内容を変更することができる。
【０００９】
本願第２の発明にかかる映像配信クライアント装置では、第１の発明において、前記表示制御部は、ＵＲＬ（Ｕｎｉｆｏｒｍ  Ｒｅｓｏｒｃｅ  Ｌｏｃａｔｏｒ）で特定されるネットワーク上のコンテンツを取得しようとする時に、前記ＵＲＬ中に記述された前記コンテンツ識別子を取得することを特徴とする。これにより、映像配信クライアント装置が、コンテンツ識別子を検知するきっかけを特定する事ができる。
【００１０】
本願第３の発明にかかる映像配信クライアント装置では、第１の発明において、前記表示制御部は、ＵＲＬで特定されるネットワーク上の特定のテキストファイルを取得し、前記テキストファイル中に記述されている前記コンテンツ識別子を取得することを特徴とする。これにより、映像配信クライアント装置が、コンテンツ識別子を検知するきっかけを特定する事ができる。
【００１１】
本願第４の発明にかかる映像配信クライアント装置では、第１から第３の発明において、前記表示制御部は、前記中断位置記憶部に前記コンテンツ識別子に対応する視聴中断位置があるか否かに応じて、前記表示装置に出力するコンテンツのＵＲＬを変更することを特徴とする。これにより、映像配信クライアント装置は、視聴中断位置の有無により、表示装置への表示内容を変更することができる。
【００１２】
本願第５の発明にかかる映像配信クライアント装置では、第３の発明において、前記表示制御部は、前記中断位置記憶部に前記コンテンツ識別子に対応する視聴中断位置があるか否かに応じて前記表示装置に出力するコンテンツのＵＲＬの変更するときに、前記テキストファイルに記述されている２つの異なるＵＲＬを切替える事で行なうことを特徴とする。これにより、映像配信クライアント装置は、任意のＵＲＬのコンテンツを取得する事ができる。
【００１３】
本願第６の発明にかかる映像配信システムは、ネットワークを利用して映像配信サーバ装置から映像配信クライアント装置に映像コンテンツを配信する映像配信システムであって、前記映像クライアント装置は、当該映像配信クライアント装置の識別子とコンテンツ識別子を前記映像配信サーバ装置に送信するインタフェース部を備え、前記映像配信サーバは、前記映像配信クライアント装置の識別子と映像コンテンツを識別するためのコンテンツ識別子と前記コンテンツを前回視聴した時の視聴中断位置を記憶した中断位置記憶部と、前記映像配信クライアント装置から前記映像配信クライアント装置の識別子とコンテンツ識別子を受信した際に、前記中断位置記憶部に受信した映像配信クライアント装置の識別子とコンテンツ識別子に対応する視聴中断位置があるか否かに応じて、前記映像配信クライアント装置へ配信する表示データを変更する表示変更部とを備えた、ことを特徴とする。これにより、視聴中断位置の有無により、表示装置への表示内容を変更することができる。
【発明の効果】
【００１４】
本発明は、映像配信クライアント装置での視聴の中断位置の保持の有無により、クライアントのＷｅｂブラウザの表示を変更することが可能となる。
【発明を実施するための最良の形態】
【００１５】
（実施の形態１）
本実施の形態１は、インターネットを利用したＶＯＤシステムにおいて、クライアント端末（映像配信クライアント装置）が予め登録しておいた所定のＵＲＬ（Ｕｎｉｆｏｒｍ  Ｒｅｓｏｒｃｅ  Ｌｏｃａｔｏｒ）にアクセスしようとした時に、クライアント端末内部に保持するコンテンツ視聴中断位置の有無を判断し、アクセスするＵＲＬを変更することで、クライアント端末のブラウザ表示を変更することを特徴とするものである。
本実施の形態１では、インターネットを利用したＶＯＤシステムにおいて、クライアント端末が予め定められ文字列「ｈｔｔｐ２」を含むＵＲＬにアクセスしようとした時に、クライアント端末内部に保持するコンテンツ視聴中断位置の有無を判断し、アクセスするＵＲＬを変更することで、クライアント端末のブラウザ表示を変更する場面を一例として説明する。
【００１６】
図１は、本実施の形態におけるインターネットを用いたＶＯＤシステムの概観を示した図である。図１において、ＶＯＤクライアント（映像配信クライアント装置）１００はインターネット２００に接続されており、ＶＯＤサーバ（映像配信サーバ装置）３００が提供するコンテンツを視聴する事ができる。ＶＯＤサーバ３００は、自分が保持しているコンテンツの一覧をＶＯＤクライアント１００に知らせるためのＨＴＴＰ（Ｈｙｐｅｒｔｅｘｔ  Ｔｒａｎｓｆｅｒ  Ｐｒｏｔｏｃｏｌ）サーバ機能を搭載している。
【００１７】
図２は、ＶＯＤクライアント１００の構成図である。図２において、表示部１０１はＷｅｂブラウザ１０２やＡＶデコーダ１０４の出力を表示する。Ｗｅｂブラウザ１０２は、ネットワークインタフェース１０５を介してＶＯＤサーバ３００とデータの送受信を行なう。また、Ｗｅｂブラウザ１０２は、文字列「ｈｔｔｐ２」で始まるＵＲＬに対してアクセスしようとすると、中断位置記憶部１０３から該当するコンテンツの中断位置を検索し、中断位置情報の有無によりアクセス先のＵＲＬを変更する機能を有する。ＡＶデコーダ１０４は、ネットワークインタフェース１０５を介してＶＯＤサーバ３００から送信されてくる動画データを受信し、デコードする。また、ＡＶデコーダ１０４は、映像視聴を途中で中断した場合、中断位置記憶部１０３にコンテンツ識別子とともに中断位置を記録する。中断位置記憶部１０３は、図３に示すデータリストを格納しており、コンテンツ識別子とそのコンテンツに該当する中断位置を設定して記憶している。Ｗｅｂブラウザ１０２は、記憶したコンテンツ識別子と中断位置を取得する事ができる。図３における一例では、コンテンツ識別子が“movie_0001”、中断位置が”０１：２２：３０”であることを示している。
【００１８】
ここで、ユーザがＶＯＤクライアント１００を操作して、ＶＯＤサーバ３００が提供するコンテンツを視聴する手順を、図４および図５を用いて説明する。図４は、ＶＯＤクライアント１００が備えたＷｅｂブラウザの表示画面であり、図５は、ＶＯＤクライアント１００においてＶＯＤサーバ３００が提供するコンテンツを視聴する際の手順を示すフローチャートである。
【００１９】
はじめに、ＶＯＤクライアント１００が起動すると、Ｗｅｂブラウザ１０２に予めホームページと定められていたＶＯＤサーバ３００のＵＲＬ「ｈｔｔｐ：／／ｖｉｄｅｏｓｅｒｖｅｒ．ｃｏｍ／」を取得しようとする（ステップＳ１００）。ここで、Ｗｅｂブラウザ１０２において、アクセスするＵＲＬの解析を行い、ＵＲＬ中のスキームが「ｈｔｔｐ２」であるかどうかを解析する（ステップ１０２）。今回の場合、スキームが「ｈｔｔｐ２」でないので、通常通りＨＴＭＬファイルを取得し、図４（ａ）に示す、ＶＯＤサーバ３００のポータルページを表示部１０１に表示する（ステップＳ１０８）。
【００２０】
次に、ユーザがＶＯＤクライアント１００を操作し、図４（ａ）に示すページにおける“映画”ジャンルを選択すると、予めページ内に記述されていたＵＲＬ「ｈｔｔｐ：／／ｖｉｄｅｏｓｅｒｖｅｒ．ｃｏｍ／ｍｏｖｉｅ．ｈｔｍｌ」を取得しようとする（ステップＳ１００）。ここで、Ｗｅｂブラウザ１０２において、アクセスするＵＲＬの解析を行い、ＵＲＬ中のスキームが「ｈｔｔｐ２」であるかどうかを解析する（ステップ１０２）。前回と同様に、スキームが「ｈｔｔｐ２」でないので、通常通りＨＴＭＬファイルを取得し、図４（ｂ）に示す、ＶＯＤサーバ３００の“映画”ジャンルページを表示部１０１に表示する（ステップＳ１０８）。
【００２１】
次に、ユーザがＶＯＤクライアント１００を操作し、図４（ｂ）に示すページにおける“銀河戦争”を選択すると、予め“銀河戦争”に対応して記述されていたＵＲＬ「ｈｔｔｐ２：／／ｖｉｄｅｏｓｅｒｖｅｒ．ｃｏｍ／ｍｏｖｉｅ／ｇｉｎｇａｓｅｎｓｏｕ／ｉｎｄｅｘ．ｈｔｍｌ？ｃｏｎｔｅｎｔｓ＿ｉｄ＝ｍｏｖｉｅ＿０００１」を取得しようとする（ステップＳ１００）。ここで、Ｗｅｂブラウザ１０２において、アクセスするＵＲＬの解析を行い、ＵＲＬ中のスキームが「ｈｔｔｐ２」であるかどうかを解析する（ステップ１０２）。今回の場合、スキームが「ｈｔｔｐ２」に該当するので、ＵＲＬの解析を行い、文字列「ｃｏｎｔｅｎｔｓ＿ｉｄ＝」の後に記述されているコンテンツ識別子「ｍｏｖｉｅ＿０００１」を取得する（ステップＳ１０３）。コンテンツ識別子取得後、Ｗｅｂブラウザ１０２は中断位置記憶部１０３を検索して中断位置を取得しようとする（ステップＳ１０４）。検索の結果、中断位置が取得できたかどうかの判断を行い、中断位置が取得できなかった場合、初めて視聴する、もしくは前回最後まで当該コンテンツを視聴したと判断し、図４（ｃ）に示す、コンテンツの視聴を最初から行なうためのメニューのみを表示するページを取得するために、ＵＲＬ中のファイル名を「ｎｏｒｍａｌ．ｈｔｍｌ」へ変更する（ステップＳ１０６）。また、ＵＲＬ中のスキームも「ｈｔｔｐ」に変更し、最終的にＵＲＬを「ｈｔｔｐ：／／ｖｉｄｅｏｓｅｒｖｅｒ．ｃｏｍ／ｍｏｖｉｅ／ｇｉｎｇａｓｅｎｓｏｕ／ｎｏｒｍａｌ．ｈｔｍｌ」に変更し（ステップＳ１０７）、図４（ｃ）に示すページを取得し、表示部１０１に表示する（ステップＳ１０８）。
【００２２】
ステップＳ１０４において、中断位置が取得できた場合、図４（ｄ）に示す、コンテンツの視聴を最初から行なうためのメニューと、中断位置からの続きを視聴するためのメニューの両方を表示するページを取得するために、ＵＲＬ中のファイル名を「ｒｅｓｕｍｅ．ｈｔｍｌ」へ変更する（ステップＳ１０５）。その後は、スキームを変更し、最終的に「ｈｔｔｐ：／／ｖｉｄｅｏｓｅｒｖｅｒ．ｃｏｍ／ｍｏｖｉｅ／ｇｉｎｇａｓｅｎｓｏｕ／ｒｅｓｕｍｅ．ｈｔｍｌ」として（ステップＳ１０７）、図４（ｄ）に示すページを取得し、表示部１０１に表示する（ステップＳ１０８）。
【００２３】
最後に、図４（ｃ）、および図４（ｄ）における「最初から」を選択すると、ＶＯＤクライアント１００は、ＶＯＤサーバ３００に対し、コンテンツ識別子が「ｍｏｖｉｅ＿０００１」に該当するコンテンツを最初から送るように指示し、受信したコンテンツをＡＶデコーダ１０４でデコードし、表示部１０１に表示する。また、図４（ｄ）における「続きから」を選択すると、ＶＯＤクライアント１００は、ＶＯＤサーバ３００に対し、コンテンツ識別子が「ｍｏｖｉｅ＿０００１」に該当するコンテンツの中断位置から送信するように指示し、受信したコンテンツをＡＶデコーダ１０４でデコードし、表示部１０１に表示する。
【００２４】
以上、説明した構成によれば、ＶＯＤクライアント１００に当該コンテンツの中断位置を保持している場合、Ｗｅｂブラウザ１０２上に、中断位置からの再生を促すメニューを表示させ、その中断位置から再生を行うことが可能になる。
【００２５】
以上、本実施の形態におけるインターネットを用いたＶＯＤにおける視聴を中断した位置からの再生方法を説明したが、これは一例であって、この実施の形態に限定されるものではない。
【００２６】
例えば、本実施の形態では、ＶＯＤクライアント１００が予め定められていた２種類のファイル名「ｎｏｒｍａｌ．ｈｔｍｌ」と「ｒｅｓｕｍｅ．ｈｔｍｌ」を切替えていたが、例えばＶＯＤサーバ３００のＣＧＩ機能を利用してもよい。この場合、図４（ｂ）に示すページにおける“銀河戦争”には、例えばＵＲＬ「ｈｔｔｐ２：／／ｖｉｄｅｏｓｅｒｖｅｒ．ｃｏｍ／ｍｏｖｉｅ／ｇｉｎｇａｓｅｎｓｏｕ．ｃｇｉ？ｃｏｎｔｅｎｔｓ＿ｉｄ＝ｍｏｖｉｅ＿０００１」がリンクされており、ＶＯＤクライアント１００は、スキームを「ｈｔｔｐ２」から「ｈｔｔｐ」に変換するとともに、中断位置を示す文字列「＆ｒｅｓｕｍｅ＝０１：１０：００」を付け加えて「ｈｔｔｐ：／／ｖｉｄｅｏｓｅｒｖｅｒ．ｃｏｍ／ｍｏｖｉｅ／ｇｉｎｇａｓｅｎｓｏｕ．ｃｇｉ？ｃｏｎｔｅｎｔｓ＿ｉｄ＝ｍｏｖｉｅ＿０００１＆ｒｅｓｕｍｅ＝０１：１０：００」としてアクセスしてもよい。この時ＶＯＤサーバ３００は文字列「＆ｒｅｓｕｍｅ＝０１：１０：００」が記述されている場合は図４（ｄ）のＨＴＭＬページを生成し、記述されていない場合は図４（ｄ）のＨＴＭＬページを生成すればよい。
【００２７】
また、本実施の形態ではＵＲＬを解析することでアクセス先を変更していたが、Ｗｅｂブラウザの標準的な拡張方式であるプラグインを利用する方法もある。プラグインは、特定のＭＩＭＥ（Ｍｕｌｔｉｐｕｐｏｓｅ  Ｉｎｔｅｒｎｅｔ  Ｍａｉｌ  Ｅｘｔｅｎｓｉｏｎｓ）タイプのコンテンツに対応して起動する拡張プログラムである。
【００２８】
以下、プラグインを用いた場合の動作シーケンスを説明する。すでにＷｅｂブラウザ１０２は、図４（ｂ）に示すページを表示しているものとする。ユーザはＷｅｂブラウザ１０２を操作し、図４（ｂ）中の銀河戦争を選択すると、予め銀河戦争に対応して記述されていたＵＲＬにより、図６に示すメタファイルを取得する。このメタファイルには特定のＭＩＭＥタイプが割り当てられており、Ｗｅｂブラウザ１０２はＭＩＭＥタイプを検知してプラグインを起動する。このプラグインはメタファイル中の文字列「Ｃｏｎｔｅｔｎｓ＿ｉｄ＝」以降に記述されているコンテンツ識別子を取得し、中断位置記憶部１０３から該当する中断位置を検索する。中断位置が取得できた場合、文字列「ＵＲＬ＿ＯＫ＝」以降に記述されるＵＲＬにアクセスし、図４（ｄ）で示すページを取得する。中断位置が取得できなかった場合、文字列「ＵＲＬ＿ＮＧ＝」以降に記述されるＵＲＬにアクセスし、図４（ｃ）で示すページを取得する。
【００２９】
また、同様に専用のＪａｖａ（登録商標）  Ｓｃｒｉｐｔ用ＡＰＩを用意する方法もある。例えば、Webブラウザ１０２に、コンテンツ識別子を引数として該当する中断位置を検索するＧｅｔＲｅｓｕｍｅ（）というＡＰＩを備えておく。
【００３０】
以下、ＧｅｔＲｅｓｕｍｅ（）を用いた場合の動作シーケンスを説明する。すでにＷｅｂブラウザ１０２は、図４（ｂ）に示すページを表示しているものとする。ユーザはＷｅｂブラウザ１０２を操作し、図４（ｂ）中の銀河戦争を選択すると、予め銀河戦争に対応して記述されていたＪａｖａ（登録商標）  ＳｃｒｉｐｔによりＧｅｔＲｅｓｕｍｅ（ｍｏｖｉｅ＿０００１）を実行する。ＧｅｔＲｅｓｕｍｅ（）は、「ｍｏｖｉｅ＿０００１」をコンテンツ識別子とし、中断位置記憶部１０３から該当する中断位置を検索し、中断位置が取得できたら１を、取得できなかったら０を返す。Ｗｅｂブラウザ１０２は、Ｊａｖａ（登録商標）  Ｓｃｒｉｐｔの記述に従って、ＧｅｔＲｅｓｕｍｅ（）の返り値が１の場合は図４（ｄ）のページを取得し、０の場合は図４（ｃ）のページを取得する。
（実施の形態２）
本実施の形態２では、サーバ側に各クライアントに対応するコンテンツの中断位置を記録するインターネットを利用したＶＯＤシステムにおいて、クライアントが予め定められた文字列「ｈｔｔｐ２」を含むＵＲＬにアクセスしようとした時に、クライアントの識別子をＵＲＬに付加して送信し、サーバにおいて当該クライアントに対応する中断位置を取得し、クライアントに渡すＨＴＭＬファイルを変更する場面をモデルケースとして説明する。
【００３１】
本実施の形態におけるインターネットを利用したＶＯＤシステムの概観を示す図は、実施の形態１で説明した図１と同じであるので、説明を省略する。
【００３２】
図７は、本実施の形態におけるＶＯＤクライアント１００の構成図である。実施の形態１で説明した図２と比較して、中断位置記憶部１０３を省いた構成となる。図８は、ＶＯＤサーバ３００が保持する中断位置を示すデータリストである。図８における一例では、クライアント識別子が”client_0001”、コンテンツ識別子が”movie_0001”、中断位置が“０１：２２：３０”であることを示している。
【００３３】
ここで、ユーザがＶＯＤクライアント１００を操作して、ＶＯＤサーバ３００が提供するコンテンツを視聴する手順を、図９、および図１０を用いて説明する。図９は、本実施の形態におけるＶＯＤクライアント１００のフローチャートであり、図１０は、本実施の形態におけるＶＯＤサーバ３００のフローチャートである。
【００３４】
図４（ｂ）を取得するまでのシーケンスは、実施の形態１で説明した図５と同様であるので省略する。以降、図４（ｂ）に示すＨＴＭＬファイルを取得した後のフローチャートについて説明する。
【００３５】
ユーザがＶＯＤクライアント１００を操作し、図４（ｂ）に示すページにおける“銀河戦争”を選択すると、予めページ内に記述されていたＵＲＬ「ｈｔｔｐ２：／／ｖｉｄｅｏｓｅｒｖｅｒ．ｃｏｍ／ｍｏｖｉｅ／ｇｉｎｇａｓｅｎｓｏｕ．ｃｇｉ？ｃｏｎｔｅｎｔｓ＿ｉｄ＝ｍｏｖｉｅ＿０００１」を取得しようとする（ステップＳ２００）。ここで、Ｗｅｂブラウザ１０２において、アクセスするＵＲＬの解析を行い、ＵＲＬ中のスキームが「ｈｔｔｐ２」であるかどうかを解析する（ステップ２０２）。今回の場合、スキームが「ｈｔｔｐ２」に該当するので、端末の識別子を示す文字列「＆ｃｌｉｅｎｔ＝ｃｌｉｅｎｔ＿０００１」をＵＲＬに付加する（ステップＳ２０３）。また、ＵＲＬ中のスキームも「ｈｔｔｐ」に変更し、最終的にＵＲＬを「ｈｔｔｐ：／／ｖｉｄｅｏｓｅｒｖｅｒ．ｃｏｍ／ｍｏｖｉｅ／ｇｉｎｇａｓｅｎｓｏｕ．ｃｇｉ？ｃｏｎｔｅｎｔｓ＿ｉｄ＝ｍｏｖｉｅ＿０００１＆ｃｌｉｅｎｔ＝ｃｌｉｅｎｔ＿０００１」に変更し（ステップＳ２０４）、図４（ｃ）または図４（ｄ）に示すページを取得し、表示部１０１に表示する（ステップＳ２０５）。
【００３６】
一方、ＶＯＤサーバ３００では、ＶＯＤクライアント１００のステップＳ２０４における要求を受信すると（ステップＳ３００）、ＶＯＤサーバ３００はＣＧＩにアクセスした事を認識する（ステップＳ３０２）。ここで、ＵＲＬ中に含まれるコンテンツ識別子「ｃｏｎｔｅｎｔｓ＿ｉｄ＝ｍｏｖｉｅ＿０００１」とクライアント識別子「ｃｌｉｅｎｔ＝ｃｌｉｅｎｔ＿０００１」を抽出し、この２つに該当する中断位置を図８に示す中断位置を示すデータリストから検索し（ステップＳ３０２）、中断位置が取得できた場合、図４（ｄ）に示すＨＴＭＬファイルを作成し（ステップＳ３０３）、中断位置が取得できなかった場合、図４（ｃ）に示すＨＴＭＬファイルを作成する（ステップＳ３０４）。最後に、生成したＨＴＭＬファイルをＶＯＤクライアント１００に対して送信する（ステップＳ３０５）。
【００３７】
以上、説明した構成によれば、ＶＯＤサーバ３００に当該コンテンツの中断位置を保持している場合、ＶＯＤクライアント１００のＷｅｂブラウザ１０２上に、中断位置からの再生を促すメニューを表示させ、中断位置から再生することが可能になる。
【００３８】
以上、本実施の形態におけるインターネットを用いたＶＯＤにおける視聴を中断した位置からの再生方法を説明したが、これは一例であって、この実施の形態に限定されるものではない。
【００３９】
例えば本実施の形態では、予め定められた文字列「ｈｔｔｐ２」をトリガとして、ＶＯＤクライアント１００はクライアント識別子をＵＲＬ中に付加するようにしたが、これをＨＴＴＰヘッダ中に格納してもよい。また、クライアント識別子を常にＨＴＴＰヘッダ中に格納しておくことで、予め定められた文字列を検索する処理を省略することができる。
【００４０】
また、本実施の形態では予め定められた文字列「ｈｔｔｐ２」をトリガとして、ＶＯＤクライアント１００はクライアント識別子をＵＲＬ中に付加するようにしたが、実施の形態１で説明したプラグインを利用する方法もある。すなわち、図１１に示すテキストファイルを取得した時にプラグインが起動される事を利用して、概テキストファイルに記述されているＵＲＬにクライアント識別子を付加する事もできる。
【００４１】
以下、プラグインを用いた場合の動作シーケンスを説明する。すでにＷｅｂブラウザ１０２は、図４（ｂ）に示すページを表示しているものとする。ユーザはＷｅｂブラウザ１０２を操作し、図４（ｂ）中の“銀河戦争”を選択すると、予め“銀河戦争”に対応して記述されていたＵＲＬにより、図１１に示すメタファイルを取得する。このメタファイルには特定のＭＩＭＥタイプが割り当てられており、Ｗｅｂブラウザ１０２はＭＩＭＥタイプを検知してプラグインを起動する。このプラグインはメタファイル中のＵＲＬに、端末の識別子を示す文字列「＆ｃｌｉｅｎｔ＝ｃｌｉｅｎｔ＿０００１」を付加し、「ｈｔｔｐ：／／ｖｉｄｅｏｓｅｒｖｅｒ．ｃｏｍ／ｍｏｖｉｅ／ｇｉｎｇａｓｅｎｓｏｕ．ｃｇｉ？ｃｏｎｔｅｎｔｓ＿ｉｄ＝ｍｏｖｉｅ＿０００１＆ｃｌｉｅｎｔ＝ｃｌｉｅｎｔ＿０００１」というＵＲＬを作成し、図４（ｃ）または図４（ｄ）に示すページを取得する。
【産業上の利用可能性】
【００４２】
本発明にかかるインターネットを用いたＶＯＤ等における視聴を中断した位置からの再生方法は、Ｗｅｂブラウザを用いたユーザ・インタフェースでの視聴を中断した位置からの再生機能を提供可能であるため、インターネットを利用したコンテンツ配信事業に有用である。
【図面の簡単な説明】
【００４３】
【図１】インターネットＶＯＤシステムの概観図
【図２】実施の形態１におけるＶＯＤクライアント１００の構成図
【図３】ＶＯＤクライアント１００が保持する中断位置を示すデータリストを示す図
【図４】ＶＯＤクライアント１００が備えたＷｅｂブラウザの表示画面を示す図
【図５】実施の形態１におけるＶＯＤクライアント１００のフローチャート
【図６】実施の形態１におけるメタファイルを示す図
【図７】実施の形態２におけるＶＯＤクライアント１００の構成図
【図８】ＶＯＤサーバ３００が保持する中断位置を示すデータリストを示す図
【図９】実施の形態２におけるＶＯＤクライアント１００のフローチャート
【図１０】実施の形態２におけるＶＯＤサーバ３００のフローチャート
【図１１】実施の形態２におけるメタファイルを示す図
【符号の説明】
【００４４】
１００    ＶＯＤクライアント
１０１    表示部
１０２    Ｗｅｂブラウザ
１０３    中断位置記憶部
１０４    ＡＶデコーダ
１０５    ネットワークインタフェース
２００    インターネット
３００    ＶＯＤサーバ
【図１】
2008124601.tif 000003
【図２】
2008124601.tif 000004
【図３】
2008124601.tif 000005
【図４】
2008124601.tif 000006
【図５】
2008124601.tif 000007
【図６】
2008124601.tif 000008
【図７】
2008124601.tif 000009
【図８】
2008124601.tif 000010
【図９】
2008124601.tif 000011
【図１０】
2008124601.tif 000012
【図１１】
2008124601.tif 000013